【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
複合充填材（３０）の製造装置（５５）であって、
前記複合充填材（３０）の材料である複数の複合強化ストリップ（８４）のスタック（９２）を所望の断面形状を有する前記複合充填材（３０）に成形するのに適したダイス周囲面（１０２）を有する少なくとも一つの回転可能なダイス（７０）であって、前記ダイス周囲面（１０２）の断面形状はダイス（７０）の外周の周りで変化するダイス（７０）と、
前記複合強化ストリップ（８４）のスタック（９２）を前記ダイス（７０）を通して移動させるデバイス（６４）とを備える装置（５５）であって、
接着剤を与える少なくとも１つの接着剤ディスペンサーと、
前記接着剤ディスペンサーにより与えられた接着剤を、前記ダイス（７０）で成形された前記複合強化ストリップ（８４）のスタック（９２）に押し付けるデバイス（１１６）とをさらに備え、
前記デバイス（１１６）は前記デバイス（１１６）の外周の周りで変化する断面積を有するカム面を有することを特徴とする
装置（５５）。
【請求項２】
前記デバイス（６４）が前記ダイス（７０）を通るスタック（９２）を引っ張るプーラ（６４）を含み、前記複合強化ストリップ（８４）は繊維プリプレグである、請求項１に記載の装置。
【請求項３】
前記複合強化ストリップ（８４）の一つを保持し与えるのに各々適した複数のクリール（８６）と、
前記クリール（８６）から与えられた前記複合強化ストリップ（８４）をスタック（９２）に誘導するガイド（６６）
をさらに含む、請求項１に記載の装置。
【請求項４】
前記ガイド（６６）が、前記複合強化ストリップ（８４）を前記スタック（９２）にそれぞれ導くための複数の整列されたスロット（１００）を含む、請求項３に記載の装置。
【請求項５】
前記クリール（８６）から与えられた複合強化ストリップ（８４）をカットし、与えられた複合強化ストリップ（８４）を選択的に前記ガイド（６６）に追加するカット／追加デバイス（６８）をさらに含む、請求項３に記載の装置。
【請求項６】
前記複合強化ストリップ（８４）がプリプレグであり、前記装置（５５）がさらに、
前記複合強化ストリップ（８４）が前記クリール（８６）から与えられる時に、前記複合強化ストリップ（８４）上の各裏紙（８５）を巻き取るのに適した複数の巻き取りリール（８８）を含む、請求項３に記載の装置。
【請求項７】
前記ダイス（７０）に前記複合強化ストリップ（８４）のスタック（９２）を導くためのシュート（９６）をさらに含み、前記シュート（９６）は加熱されたシュート（９６）である、請求項１に記載の装置。
【請求項８】
前記ダイス（７０）がほぼ円形であり、前記ダイス（７０）が周りを回転する中心軸（９５）を有する、請求項１に記載の装置。
【請求項９】
前記ダイス（７０）と協働してニップ（９７）を形成する面をさらに備え、前記複合強化ストリップ（８４）のスタック（９２）が前記ニップ（９７）に送られることができ、前記ダイス（７０）が前記ニップ（９７）を通過する前記複合強化ストリップ（８４）のスタック（９２）を圧縮する、請求項１に記載の装置。
【請求項１０】
その長さに沿って変化する断面を有する複合充填材（３０）を製造する方法であって、
複数の複合プリプレグストリップ（８４）のスタック（９２）を形成すること（１１８）と、
前記複合プリプレグストリップ（８４）のスタック（９２）をダイス（７０）を通して送ること（１２０）と、
前記ダイス（７０）を使用（１２４）して前記複合プリプレグストリップ（８４）のスタック（９２）を成形することとを備え、
前記成形することは、前記スタック（９２）が前記ダイス（７０）を通して送られるにつれて前記複合プリプレグストリップ（８４）のスタック（９２）と接触するダイス面（１０２）の形状を変化させることを有しており、
成形された前記複合プリプレグストリップ（８４）のスタック（９２）に接着剤のストリップを適用することと、
成形された前記複合プリプレグストリップ（８４）のスタック（９２）に接着剤を押し付けて圧縮することと
をさらに備えることを特徴とする方法。
【請求項１１】
前記ダイス（７０）を通して前記スタック（９２）を送ることを、前記プリプレグストリップ（８４）のスタック（９２）と接触する前記ダイス（７０）の形状の変化と同期させることをさらに含む、請求項１０に記載の方法。
【請求項１２】
前記複数の複合プリプレグストリップ（８４）のスタック（９２）を成形することが、
複数の複合プリプレグストリップ（８４）を複数のクリール（８６）からそれぞれ与えることと、
前記複合プリプレグストリップ（８４）を相互に対して位置調整すること
を含む、請求項１０に記載の方法。
【請求項１３】
前記複合プリプレグストリップ（８４）を位置調整することが、前記複合プリプレグストリップ（８４）をガイド（６６）に通すことによって実施され、
前記複合プリプレグストリップ（８４）のスタック（９２）を成形することが、さらに位置調整された前記複合プリプレグストリップ（８４）を圧密化してスタック（９２）にすることを含む、
請求項１２に記載の方法。
【請求項１４】
前記複数の複合プリプレグストリップ（８４）のスタックを成形することが、
複合プリプレグストリップ（８４）の積層体（７４）をアセンブルすることと、
前記積層体（７４）をスリッター（１５４）を通して移動させることによって、前記積層体（７４）を切って、様々な幅の隣り合った複数のストリップの状態にすること
を含む、請求項１０に記載の方法。
【手続補正２】
【補正対象書類名】明細書
【補正対象項目名】０００６
【補正方法】変更
【補正の内容】
【０００６】
開示される一の実施形態によれば、回転可能なダイス、及び強化ストリップのスタックをダイスを通して移動させるデバイスを含む複合充填材を製造する装置が提供される。このダイスは、ストリップのスタックを所望の断面形状に成形するのに適したダイスの周囲面を有する。ダイスの断面はその外周の周りで変化する。ダイスを通してストリップのスタックを引っ張るデバイスはプーラを含む。装置はさらに、ストリップの一つを保持し与えるのにそれぞれ適した複数のクリールと、クリールから与えられたストリップをスタックにするガイドを含む。ガイドは、ストリップをそれぞれスタックにするための複数の整列スロットを含む。この装置はさらに、クリールから与えられたストリップをカットし、与えられたストリップを選択的にガイドに加えるカット及び追加デバイスを含む。この装置はまた、ダイスによって成形されたストリップのスタックを誘導し加熱する加熱シュートも含む。ダイスの形状はほぼ円形であり、中心軸の周りを回転する。ダイス面には、ほぼ一定の断面積を有する少なくとも第１の円周部分と、可変の断面積を有する第２の円周部分を含む。装置はさらに、プリプレグプライの積層体を切って複数のプリプレグストリップの状態にするスリッターと、切ったプリプレグのストリップをスタッキングした状態に変更するリダイレクトデバイスを含む。
【手続補正３】
【補正対象書類名】明細書
【補正対象項目名】０００８
【補正方法】変更
【補正の内容】
【０００８】
さらに別の実施形態によれば、その長さに沿って変化する断面を有する複合充填材を製造する方法が提供されている。この方法は、複合プリプレグストリップのスタックを形成し、少なくとも一つのダイスを通してストリップのスタックを送り、ダイスを使用してストリップのスタックを形成することを含み、これにはスタックがダイスに送られる時にスタックと接触するダイスの面形状を変えることが含まれる。ダイス面の形状の変更には、ダイスを通してスタックを送る時にダイスを回転させることが含まれる。ストリップのスタックの形成には、複数のクリールからそれぞれ複合プリプレグのストリップを与え、ストリップを互いに位置調整させてスタックにすることが含まれる。
【手続補正４】
【補正対象書類名】明細書
【補正対象項目名】００１２
【補正方法】変更
【補正の内容】
【００１２】
装置はさらに、強化ストリップのうちの一つを保持し与えるのにそれぞれ適した複数のクリールと、クリールから与えられた強化ストリップをスタックの形に誘導するガイドを含むため、有利である。
【手続補正５】
【補正対象書類名】明細書
【補正対象項目名】００１３
【補正方法】変更
【補正の内容】
【００１３】
装置において、ガイドは強化ストリップをスタックの形にそれぞれ誘導する整列された複数のスロットを含むため、有利である。
【手続補正６】
【補正対象書類名】明細書
【補正対象項目名】００１４
【補正方法】変更
【補正の内容】
【００１４】
装置はさらに、クリールから与えられた強化ストリップをカットし、与えられた強化ストリップをガイドに選択的に追加するカット及び追加デバイスを含むため、有利である。
【手続補正７】
【補正対象書類名】明細書
【補正対象項目名】００１５
【補正方法】変更
【補正の内容】
【００１５】
装置において、強化ストリップはプリプレグであり、装置はさらに、プリプレグストリップがクリールから与えられた時に、プリプレグのストリップ上の裏紙をそれぞれ巻き取るのに適した複数の巻き取りリールを含むため、有利である。
【手続補正８】
【補正対象書類名】明細書
【補正対象項目名】００１８
【補正方法】変更
【補正の内容】
【００１８】
装置において、ダイスはほぼ円形であり、ダイスが周りを回転する中心軸を有するため、有利である。
【手続補正９】
【補正対象書類名】明細書
【補正対象項目名】００２２
【補正方法】変更
【補正の内容】
【００２２】
装置においてダイスはほぼ円形であり、ダイス面の断面積はダイスの外周周りでほぼ連続的に変化するため、有利である。
【手続補正１０】
【補正対象書類名】明細書
【補正対象項目名】００２３
【補正方法】変更
【補正の内容】
【００２３】
装置においてダイスはほぼ円形であり、ダイス面はほぼ一定の断面積を有する少なくとも第１の円周部分と、可変の断面積を有する少なくとも第２の円周部分を含むため、有利である。
【手続補正１１】
【補正対象書類名】明細書
【補正対象項目名】００２５
【補正方法】変更
【補正の内容】
【００２５】
装置はさらに、接着剤を与える少なくとも一つの接着剤ディスペンサーと、与えられた接着剤を成形された強化ストリップのスタック上にプレスするデバイスであって、デバイスの外周の周りで変化する断面積を有するカム面を含むデバイスを含むため、有利である。
【手続補正１２】
【補正対象書類名】明細書
【補正対象項目名】００２６
【補正方法】変更
【補正の内容】
【００２６】
装置において、ディスペンサーが接着ストリップを保持するのに適したリールを含み、リールはカムが形成されたスタックに接着剤をプレスする前に、形成された強化ストリップのスタックに接着ストリップを与えるため、有利である。
【手続補正１３】
【補正対象書類名】明細書
【補正対象項目名】００３７
【補正方法】変更
【補正の内容】
【００３７】
装置はさらに、接着剤を与える接着剤ディスペンサーと、与えられた接着剤を成形されたストリップのスタックにプレスするカムを含み、このカムはカムの外周の周りで変化する断面積を有するカム面を含むため、有利である。
【手続補正１４】
【補正対象書類名】明細書
【補正対象項目名】００４１
【補正方法】変更
【補正の内容】
【００４１】
この方法において、ストリップのスタックを形成するステップが、複数のクリールからそれぞれ複合プリプレグのストリップを与え、ストリップを相互に対して位置調整することを含むため、有利である。
【手続補正１５】
【補正対象書類名】明細書
【補正対象項目名】００４７
【補正方法】変更
【補正の内容】
【００４７】
この方法において、プリプレグストリップのスタックを形成するステップはさらに、切られたストリップをそれぞれ複数のクリールにロードし、クリールからストリップを与えて、与えられたストリップを位置調整することを含むため、有利である。
【手続補正１６】
【補正対象書類名】明細書
【補正対象項目名】００４８
【補正方法】変更
【補正の内容】
【００４８】
この方法において、スタックを形成するステップは、ストリップを与えて位置調整している間にストリップを順序付けすることを含むため、有利である。
【手続補正１７】
【補正対象書類名】明細書
【補正対象項目名】００６４
【補正方法】変更
【補正の内容】
【００６４】
図５及び図６に示し、前述したように、ある応用形態においては充填材３０の断面はその長さに沿って変化しうる。例えば、充填材３０の断面形状３２及び／又は断面積５８は充填材３０の長さの一部だけに沿って又は連続的に変化していてよい。図５及び図６に示す実施例では、断面形状３２は充填材の長さ全体において同じまま、すなわち三角形のままであるが、高さＨ及び幅Ｗ１は変化するため、断面の面積が変化する。例えば、一端４８の断面積５８は５４において中間部分５２まで徐々に増加し、中間部分５２において断面積５８はほぼ一定に保たれるが、５６において他端５０まで徐々に減少していく。充填材３０の断面積５８は中間部分５２全体にわたって最大でありほぼ一定に保たれるが、部分５４及び５６全体では直線的に変化する。前述したように、断面積５８は任意の増加率又は減少率で変化しうる、又は充填材３０の長さに沿った任意の部分において一定に保たれる。
【手続補正１８】
【補正対象書類名】明細書
【補正対象項目名】００６７
【補正方法】変更
【補正の内容】
【００６７】
次に、装置５５の一実施形態の構成部品を広く示す図１１に注目する。この実施例では、プライストリップの供給源６０は異なる幅Ｗ２（図１０）を有しうるプライストリップ８４がそれぞれ巻かれた複数のクリール８６を含む。プライストリップ８４がクリール８６から与えられる際にプライストリップ８４から取り除かれる裏紙８５を巻き取る巻き取りリール８８のセットが提供されている。クリール８６から与えられるプライストリップ８４は互いに位置調整されて、グループ９０として送出ヘッド６２に送られ、ここでプライストリップ８４はスタック９２（図１４）の形に誘導され、成形温度にまで加熱され、少なくとも一つのダイス７０によって最終的な充填材３０の断面形状に成形される。前述したように、ある実施形態では、スタック９２は一よりも多い数のダイス７０を使用して最終的な断面形状に成形される。スタック９２は適切な電動プーラ６４によって送出ヘッド６２を通して移動され、プーラ６４は成形された充填材３０を平坦な下方ダイス９４の上を矢印６５によって示す方向に引っ張ることにより、プライストリップ８４がクリール８６から引き出される。プーラ６４の動作は図７に示すコントローラ７２によって制御される。送出ヘッドを通してスタック９２を引っ張り、クリール８６からプライストリップ８４を引き出すプロセスは、所望の長さの充填材３０が完成するまでほぼ連続的に、また自動的に行われる。ある実施形態では、クリール８６の動作は、図７に示すコントローラ７２からの制御信号によって制御される。
【手続補正１９】
【補正対象書類名】明細書
【補正対象項目名】００６８
【補正方法】変更
【補正の内容】
【００６８】
図１２に図１１に示す装置５５のさらなる詳細を示す。クリール８６から与えられるプライストリップ８４は、必要に応じてプライストリップ８４を所望の長さの充填材３０を製造するために必要な長さにカットし追加するカット／追加ヘッド６８をそれぞれ通過する。プライストリップ８４は、複数の整列したスロット１００を含む図１２及び１３に示すガイド６６をグループ９０として通過する。スロット１００はプライストリップ８４を位置調整し、プライストリップ８４を９８において任意の好適な手段で加熱できるシュート９６まで誘導する。シュート９６により位置調整されたプライストリップ８４が図１４に示す順序付けされたスタック９２となり、スタック９２の断面は完成した充填材３０の断面形状及び面積におおよそ近いものとなる。シュート９６はまた、スタック９２を成形温度まで加熱して、スタック９２を成形ダイス７０と平坦な下方ダイス９４との間のニップ９７に誘導し、スタック９２はプーラ６４が完成した充填材３０を矢印６５で示す方向に引っ張る際にプーラ６４によってスタック９２に印加される力（図１１）によって引かれる。下方ダイス９４は加熱シュート９６の拡張部分を形成していてもしていなくてもよい。ダイス７０は、ダイス７０の回転をプーラ６４の速さに同期させる図７に示すコントローラ７２によって作動するモータ（図示せず）によって回転起動する。前述したように、一よりも多いダイス７０を順次用いて、スタック９２を所望の断面形状に成形することができる。
【手続補正２０】
【補正対象書類名】明細書
【補正対象項目名】００６９
【補正方法】変更
【補正の内容】
【００６９】
図１２、１５、１５Ａ及び図１６に示すように、成形ダイス７０は中央回転軸９５の周りでおおむね円形である。ダイス７０はダイス周囲面１０２によってできた、くぼんだダイス空洞部１０４（図１５）を含む。図示した実施例では、ダイス空洞部１０４の断面形状はおおむね三角形であり、ダイス７０の外周周りで変化する深さＤ１及び幅Ｗ３を有する。このため、ダイス７０が回転し、スタック９２がダイス７０を通して移動する際に、プライストリップ８４のスタック９２と接触するダイス面１０２の断面は変化しうる。図１６に、ダイス７０の外周周囲の深さＤ１の変化で表されるダイス空洞部１０４の断面プロファイルが変化している概略図を示す。深さＤ１は１０６の深さＤ１から１０８の深さＤ２まで徐々に増加し、１１０のＤ１まで縮小する。図１６から、ダイス空洞部１０４の断面プロファイルは図５及び６に示す充填材３０の断面形状にほぼ対応することがわかる。ダイス空洞部１０４は、製造される充填材３０の幾何学的形状によって、ダイス７０の外周周りで変化する多様なその他の断面形状を有しうる。前述したように、コントローラ７２（図７）はダイス７０の回転位置を制御し、ダイスの回転位置をプーラ（図７及び１０）がダイス７０を通して充填材３０を引っ張る速度と同期させて、プライのスタックがニップ９７を通るにつれてプライのスタック９２と接触するダイス面１０２を変化させる。
【手続補正２１】
【補正対象書類名】明細書
【補正対象項目名】００７０
【補正方法】変更
【補正の内容】
【００７０】
ある応用形態においては、接着剤を充填材３０の外表面に適用して、例えばストリンガー３６及び外板３８等の図２に示す隙間３４を形成している周囲の構造部材に充填材３０を接着するのを助けることが望ましい。接着剤は、接着剤ディスペンサーを含む図１７に示す装置５５ａの変形態様を使用して充填材３０に適用される。接着フィルムストリップ１１２を一対のリール１１４から与え、回転カム１１６を使用して充填材３０の外側面４６（図３）に適用することができる。カム１１６は形成されたばかりの充填材３０の断面形状とほぼ一致する様々なカム断面を有し、充填材３０とフィルムストリップ１１２がカム１１６と平坦な下方ダイス９４との間を通る時に、平坦な下方ダイス９４とともに接着フィルムストリップ１１２を充填材３０の側面４６にプレスする働きをする。
【手続補正２２】
【補正対象書類名】明細書
【補正対象項目名】００７１
【補正方法】変更
【補正の内容】
【００７１】
図１８に、前述した装置５５を使用して充填材３０を製造する方法の全体的なステップを示す。ステップ１１８で開始し、プリプレグプライストリップ８４のスタック９２が形成され、ステップ１２０において、プライストリップ８４のスタック９２が一以上の成形ダイス７０を通して送られる。ステップ１２４において、成形ダイス７０を使用して  プライストリップ８４のスタック９２を成形し、これにはスタック９２がダイス７０を通して送られるにつれてダイス面１０２の形状を変えることが含まれる。
【手続補正２３】
【補正対象書類名】明細書
【補正対象項目名】００７２
【補正方法】変更
【補正の内容】
【００７２】
図１８Ａに装置５５を使用して充填材３０を製造する代替方法のステップを広く示す。ステップ１２５で開始し、繊維プリプレグの多重プライ積層体７４がアセンブルされ、これにおいてプライは所定のプライスケジュールによって決まる異なる繊維方向を有することができる。ステップ１２７において、積層体７４を切って、製造される特定の充填材３０の断面形状に関連する様々な幅を有する個別のプライストリップ８４の状態にする。ステップ１２９において、切られたプライストリップはその幅にしたがって順序付けされたスタック９２の形に配置されることにより、スタック９２の断面形状は充填材３０（図１４参照）の最終的な断面形状に近いものとなり得る。順序付けされたプライストリップ８４のスタック９２はステップ１３１において一以上の成形ダイス７０に送られ、ステップ１３３において、一又は複数の成形ダイス７０を使用してスタック９２を所望の断面形状を有する充填材３０に成形し、充填材３０の断面形状は充填材３０の長さに沿って変化しうる。
【手続補正２４】
【補正対象書類名】明細書
【補正対象項目名】００７５
【補正方法】変更
【補正の内容】
【００７５】
ここで図２１及び図２２を具体的に見てみると、機械１５４は一対のニップローラ１５６、スリッター１５８、リダイレクトローラ１６２、１６４、圧密ローラ１６６及び成形ダイス７０を広く含む。アセンブルされた（予めプライ化された）積層体７４はニップローラ１５６に送られ、ニップローラ５６により積層体７４がスリッター１５８に引き込まれる。スリッター１５８は異なる距離だけ相隔たる複数の相隔たるカッター刃１６０を含み、積層体７４を切って、各々が一以上の複合プライを含む、予め選択された様々な幅の隣り合った複数の個別ストリップ８４の状態にする。リダイレクトローラ１６２、１６４は隣り合ったストリップ８４を９０度回転させて、ストリップ８４を互いに位置調整させ、スタック９２に変更するように機能し、スタック９２はローラ１６６によって圧密化され、一以上の成形ダイス７０（図２１に一つのみ示す）を通して送られる。成形ダイス７０は、前述した、ダイス７０の外周周囲において形状及び／又は面積が変化する又は変化しないダイス周囲空洞部１０４（図１５）を有する回転可能な成形ダイス７０と類似のものである。その他の実施形態では、ダイス７０は図１２、１５及び１５Ａに示す種類の回転可能な成形ダイス７０ではなく、一以上の好適な種類の固定押し出しダイスを含むことができる。
【手続補正２５】
【補正対象書類名】明細書
【補正対象項目名】００７９
【補正方法】変更
【補正の内容】
【００７９】
図２６及び２８に、図２７に示す種類の充填材３０ａを製造するのに用いることができる装置５５ｃのさらに別の実施形態を示す。この実施例では、充填材３０ａはそれぞれの長さに沿って面積又は幾何学的形状が変化する異なる断面形状を有する上部２３６及び下部２３８を含む。一対の回転可能なダイス７０ａ、７０ｂを使用して、充填材３０ａの上部２３６及び下部２３８をそれぞれ成形する。図１１、２０及び２１に示すプーラ６４等のプーラによりプライのスタック９２がダイス７０ａ、７０ｂの間のニップ９９に引き込まれる。図２８から良くわかるように、上方ダイス７０ａは、ダイス７０ａの外周周囲で面積が変化するおおむね三角形を有するダイス空洞部１０４を有する。ダイス７０ｂは、ダイス７０ｂの外周周囲で断面積が同様に変化するおおむね半円形のダイス空洞部１０４ａを有する。図２８に示すダイス７０ａ、７０ｂの断面形状は、図１２及び１５に示すダイス７０を参照しながら前述したような断面形状を非限定的に含む、可能な幅広い断面の幾何学的形状の単なる例示に過ぎない。
【手続補正２６】
【補正対象書類名】明細書
【補正対象項目名】００８４
【補正方法】変更
【補正の内容】
【００８４】
種々の有利な実施形態の説明は、例示及び説明を目的として提示されているものであり、網羅的な説明であること、又は開示された形態に実施形態を限定することを意図していない。当業者には、多数の修正例及び変形例が明らかであろう。さらに、種々の有利な実施形態は、他の有利な実施形態とは異なる利点を提供することができる。選択された一又は複数の実施形態は、実施形態の原理、実際の用途を最もよく説明するため、及び他の当業者に対し、様々な実施形態の開示内容と、考慮される特定の用途に適した様々な修正との理解を促すために選択及び記述されている。
また、本願は以下に記載する態様を含む。
（態様１）
複合充填材の製造装置であって、
複合強化ストリップのスタックを所望の断面形状に成形するのに適したダイス周囲面を有する少なくとも一つの回転可能なダイスであって、前記ダイス周囲面の断面形状はダイスの外周の周りで変化するダイスと、
前記強化ストリップのスタックを前記ダイスを通して移動させるデバイス
を含む装置。
（態様２）
前記ダイスが前記ダイスを通してスタックを引っ張るプーラを含み、前記ストリップは繊維プリプレグである、態様１に記載の装置。
（態様３）
前記強化ストリップの一つを保持し与えるのに各々適した複数のクリールと、
前記クリールから与えられた前記強化ストリップをスタックに誘導するガイド
をさらに含む、態様１に記載の装置。
（態様４）
前記ガイドが、前記強化ストリップを前記スタックにそれぞれ導くための複数の整列されたスロットを含む、態様３に記載の装置。
（態様５）
前記クリールから与えられた強化ストリップをカットし、与えられた強化ストリップを選択的に前記ガイドに追加するカット／追加デバイスをさらに含む、態様３に記載の装置。
（態様６）
前記強化ストリップがプリプレグであり、前記装置がさらに、
前記プリプレグストリップが前記クリールから与えられる時に、プリプレグのストリップ上の各裏紙を巻き取るのに適した複数の巻き取りリールを含む、態様３に記載の装置。
（態様７）
前記ダイスに前記強化ストリップのスタックを導くためのシュートをさらに含み、前記シュートは加熱されたシュートである、態様１に記載の装置。
（態様８）
前記ダイスがほぼ円形であり、前記ダイスが周りを回転する中心軸を有する、態様１に記載の装置。
（態様９）
前記強化ストリップのスタックを送ることができ、前記ダイスが前記強化ストリップのスタックをそれに当接して圧縮するニップを形成する面をさらに含む、態様１に記載の装置。
（態様１０）
その長さに沿って変化する断面を有する複合充填材を製造する方法であって、
複合プリプレグストリップのスタックを形成することと、
前記ストリップのスタックをダイスを通して送ることと、
前記ダイスを使用して前記ストリップのスタックを成形することを備え、この成形することは、前記スタックが前記ダイスを通して送られるにつれて前記ストリップのスタックと接触するダイス面の形状を変化させることを含む、方法。
（態様１１）
前記ダイスを通して前記スタックを送ることを、前記スタックと接触する前記ダイスの形状の変化と同期させることをさらに含む、態様１０に記載の方法。
（態様１２）
前記ストリップのスタックを成形することが、
複合プリプレグのストリップを複数のクリールからそれぞれ与えることと、
前記ストリップを相互に対して位置調整すること
を含む、態様１０に記載の方法。
（態様１３）
前記ストリップの位置を調整することが、前記ストリップをガイドに通すことによって実施され、
前記ストリップの成形することが、さらに前記位置調整されたストリップを圧密化してスタックにすることを含む、
態様１２に記載の方法。
（態様１４）
接着剤のストリップを前記成形されたプリプレグストリップのスタックに適用し、
前記接着剤を前記成形されたスタックに押し付けて圧縮する
ことをさらに含む、態様１０に記載の方法。
（態様１５）
前記プリプレグプライのスタックを成形することが、
プリプレグプライの積層体をアセンブルすることと、
前記積層体をスリッターを通して移動させることによって、前記積層体を切って、様々な幅の隣り合った複数のストリップの状態にすること
を含む、態様１０に記載の方法。
【手続補正２７】
【補正対象書類名】明細書
【補正対象項目名】００８５
【補正方法】変更
【補正の内容】
【００８５】
Ｈ    高さ
Ｗ１    幅
Ｗ２    幅
Ｗ３    幅
Ｄ１    深さ
Ｄ２    深さ
３０    複合充填材
３０ａ    充填材
３２    三角形の断面形状
３４    複合部材間の隙間
３５    成形構造部材
３６    ストリンガー
３７    キャップ
３８    外板
４０    ハット部分
４２    フランジ
４３    半径部分
４４    プライ
４６    三つの側面
４６ａ    ２つの半径側面
４８    一端部
５０    他端部
５２    中間部分
５４    一部分
５５    装置
５５ａ    装置
５５ｂ    装置
５５ｃ    装置
５６    一部分
５８    断面積
６０    プライストリップの供給源
６２    送出ヘッド
６４    プーラ
６５    充填材が引かれる方向
６６    ガイド
６８    カット／追加ヘッド
７０    ダイス
７０ａ    ダイス
７０ｂ    ダイス
７２    コントローラ
７３    ライン
７４    積層体
７６    プライ
７８    ０度の繊維方向
８０    ４５度の繊維方向
８２    ９０度の繊維方向
８４    プライストリップ
８５    裏紙
８６    クリール
８８    巻き取りリール
９０    プライストリップのグループ
９２    スタック
９４    下方ダイス
９５    中央回転軸
９６    シュート
９７    ニップ
９８    工程上の位置
９９    ニップ
１００    スロット
１０２    ダイス面
１０４    ダイス空洞部
１０４ａ    ダイス空洞部
１０６    ダイス面上の位置
１０８    ダイス面上の位置
１１０    ダイス面上の位置
１１２    接着フィルムストリップ
１１４    リール
１１６    カム
１５２    方向の矢印
１５４    スリッター／ラミネータ機械
１５６    ニップローラ
１５８    スリッター
１６０    カッター刃
１６２    リダイレクトローラ
１６４    リダイレクトローラ
１６６    ローラ
２３６    充填材の上部
２３８    充填材の下部
２４０    航空機の製造及び保守方法